(57)【特許請求の範囲】
【請求項１】
ハウジングと、
前記ハウジング内に設けられる複数の電子部品と、
前記ハウジング内に設けられ、複数の配線を介して前記各電子部品と接続され、前記各電子部品を制御する制御基板と、
前記ハウジング内に設けられ、前記制御基板の第１面に対向し、前記制御基板を支持する第１フレームと、
前記制御基板における前記第１面とは反対側にある第２面に配置され、少なくとも１本の前記配線が接続される複数のコネクタと、
前記制御基板の前記第１面と前記第１フレームとの間に介在される絶縁部材と、
前記第１フレーム、前記絶縁部材及び前記制御基板の重なる方向を第１方向とした場合に、前記絶縁部材に形成され、前記絶縁部材から前記制御基板に向けて前記第１方向に延設され、前記第２面を超える位置で、前記各配線の一部である特定配線を収容する収容部と、を備え、
前記収容部は、前記絶縁部材の端縁から前記第１方向に沿って前記第２面を超える位置まで延びる延設部と、
前記延設部に接続し、前記特定配線を囲むように屈曲する屈曲部と、
前記延設部から前記屈曲部と分岐して前記第１方向に延び、前記屈曲部の先端部に係合可能な係合部と、を有し、
前記係合部には、前記屈曲部の前記先端部に貫設される挿通穴に挿通可能な突出部と、前記突出部から分岐し、前記突出部とともに前記挿通穴に挿通された後に折り曲げられる規制部と、が形成されていることを特徴とする電子装置。
【請求項２】
前記収容部は、前記第１方向から見て、前記第２面と重なる位置に配置されている請求項１記載の電子装置。
【請求項３】
前記屈曲部は、前記特定配線の挿通方向から見て、前記延設部から延びる板状部分が断面略矩形状の空間を区画するように折り曲げられてなる請求項１又は２記載の電子装置。
【請求項４】
前記第１フレームに隣接して前記第１方向に延びる第２フレームをさらに備え、
前記延設部は、前記第２フレームに沿いながら延びている請求項１乃至３のいずれか１項記載の電子装置。
【請求項５】
前記コネクタには、複数の前記特定配線が前記第１方向及び前記特定配線の挿通方向の双方に略直交する第２方向に並んで接続される特定コネクタが含まれ、
前記各特定配線は、前記収容部に束ねられた状態で収容されている請求項１乃至４のいずれか１項記載の電子装置。
【発明の詳細な説明】
【技術分野】
【０００１】
本発明は電子装置に関する。
【背景技術】
【０００２】
特許文献１に従来の電子装置の例が開示されている。この電子装置は、筐体と、筐体内に設けられた複数の電子部品、電源基板、底板及び絶縁シート等から構成されている。
【０００３】
電源基板に対しては、各電子部品から延びる複数のハーネスやＦＦＣ等の配線がコネクタを介して接続されている。底板は、電源基板の下面に対向している。絶縁シートは、電源基板の下面と底板との間に介在されている。絶縁シートには、折り曲げによって形成されるガイド部が立設されている。ガイド部は、電源基板に接続される各種の配線を案内する。
【先行技術文献】
【特許文献】
【０００４】
【特許文献１】特許第３７７５３８９号公報
【発明の概要】
【発明が解決しようとする課題】
【０００５】
ところで、この種の電子装置においては、上記の電源基板の他に制御基板を備えているものがある。制御基板についても、上記電源基板と同様の構成を採用することが可能である。また、近年、装置の小型化が要求されてきており、それに伴って制御基板のサイズを小さくすることが考えられる。この場合、制御基板のサイズが小さくなる程、複数のコネクタが制御基板上で近接配置され、制御基板上で複数の配線同士が接近する可能性が高くなる。すると、これらの配線が互いにノイズの影響を受ける可能性があることから、電子部品の動作不良や性能低下を招くおそれがある。
【０００６】
本発明は、上記従来の実情に鑑みてなされたものであって、電子部品の動作不良や性能低下を抑制しつつ、制御基板のサイズを小さくすることができる電子装置を提供することを目的とする。
【課題を解決するための手段】
【０００７】
本発明の電子装置は、ハウジングと、
前記ハウジング内に設けられる複数の電子部品と、
前記ハウジング内に設けられ、複数の配線を介して前記各電子部品と接続され、前記各電子部品を制御する制御基板と、
前記ハウジング内に設けられ、前記制御基板の第１面に対向し、前記制御基板を支持する第１フレームと、
前記制御基板における前記第１面とは反対側にある第２面に配置され、少なくとも１本の前記配線が接続される複数のコネクタと、
前記制御基板の前記第１面と前記第１フレームとの間に介在される絶縁部材と、
前記第１フレーム、前記絶縁部材及び前記制御基板の重なる方向を第１方向とした場合に、前記絶縁部材に形成され、前記絶縁部材から前記制御基板に向けて前記第１方向に延設され、前記第２面を超える位置で、前記各配線の一部である特定配線を収容する収容部と、を備えていることを特徴とする。
【０００８】
本発明の電子装置では、特定配線は、絶縁部材に形成された収容部に制御基板の第２面を超える位置で収容されることにより、配線される位置が定まる。よって、特定配線の配置される位置が定まらない場合に比べ、残りの配線に接近し難くなる。このため、制御基板のサイズが小さくされることによって複数のコネクタが制御基板上で近接配置されても、その複数のコネクタに接続される複数の配線のうち、特定配線と残りの配線とが互いにノイズの影響を受けることを抑制できる。
【０００９】
したがって、本発明の電子装置では、電子部品の動作不良や性能低下を抑制しつつ、制御基板のサイズを小さくすることができる。また、この電子装置では、絶縁部材を利用して収容部を形成することで、部品点数の削減及び製造コストの低廉化を実現できる。
【図面の簡単な説明】
【００１０】
【図１】実施例１の画像読取装置の斜視図である。
【図２】実施例１の画像読取装置の模式正面図である。
【図３】実施例１の画像読取装置のブロック図である。
【図４】実施例１の画像読取装置に係り、ジョイントカバーの斜視図である。
【図５】実施例１の画像読取装置に係り、制御基板、第１フレーム及び絶縁シート等を本体部から分離して示す部分斜視図である。
【図６】実施例１の画像読取装置に係り、本体部に組み付けられた状態の制御基板、第１フレーム及び絶縁シートに形成された収容部等を主に示す部分斜視図である。
【図７】実施例１の画像読取装置に係り、収容部等を拡大して示す部分斜視図である。
【図８】実施例１の画像読取装置に係り、複数の配線と収容部との相対位置関係を主に示す部分斜視図である。
【図９】実施例１の画像読取装置に係り、制御基板、複数の配線及び収容部等を主に示す部分斜視図である。
【図１０】実施例１の画像読取装置に係り、絶縁シートに形成される収容部の展開パターンを示す部分平面図である。
【図１１】実施例１の画像読取装置に係り、絶縁シートに形成された収容部を示す部分斜視図である。
【図１２】実施例２の画像読取装置に係り、絶縁シートに形成された収容部を示す部分斜視図である。
【図１３】実施例３の画像読取装置に係り、絶縁シートに形成された収容部を示す部分斜視図である。
【発明を実施するための形態】
【００１１】
以下、本発明を具体化した実施例１〜３を図面を参照しつつ説明する。
【００１２】
（実施例１）
図１に示すように、実施例１の画像読取装置１は、本発明の電子装置の具体的態様の一例である。この画像読取装置１は、画像読取処理の他、画像形成処理等の複数の処理を実行可能な複合機である。図１では、画像読取装置１の操作パネル２８が配置される側を装置の前側と規定し、操作パネル２８に向かって左を左側と規定して、前後、左右及び上下の各方向を表示する。そして、図２以降に示す各方向は、全て図１に示す各方向に対応させて表示する。以下、図１等に基づいて、画像読取装置１の具体的構成を説明する。
【００１３】
＜全体構成＞
図１〜図３に示すように、画像読取装置１は、本体ユニット１０と、読取ユニット２０と、上部ユニット４０とを備えている。読取ユニット２０は、本体ユニット１０の上方に設けられている。上部ユニット４０は、読取ユニット２０の上方に設けられている。本体ユニット１０の筐体、読取ユニット２０の筐体及び上部ユニット４０の筐体は、本発明の「ハウジング」の一例である。これらの筐体は、外装カバー、内部フレーム、外装カバーを兼ねるフレーム部材等が適宜組み合わされて構成される。
【００１４】
本体ユニット１０は、前後左右が外装カバー１１によって囲まれている。なお、図２では、右カバー１１Ｒと左カバー１１Ｌとを示す。外装カバー１１の内部には、図示しない内部フレーム、図２及び図３に示す画像形成部５、図１〜図３、図５〜図７及び図９に示す制御基板９０等が設けられている。画像形成部５及び制御基板９０は、図示しない内部フレームに保持された状態で、本体ユニット１０内に収容されている。画像形成部５は、インクジェット方式又はレーザ方式等によりシートに画像を形成する。図１及び図２に示すように、制御基板９０は、本体ユニット１０の内部であって、外装カバー１１における左部分である左カバー１１Ｌに隣接する位置に配置されている。制御基板９０は、略矩形状をなして、上下方向及び前後方向に延在している。制御基板９０は、外装カバー１１における左カバー１１Ｌの内面と対向して配置されている。
【００１５】
図３に示すように、制御基板９０には、ＣＰＵ、ＲＡＭ、及びＲＯＭ等が設けられている。制御基板９０は、画像形成部５を制御して、画像形成処理を行う。また、制御基板９０は、読取部３及び搬送部４を制御して、画像読取処理を行う。さらに、制御基板９０は、操作パネル２８、モジュラコネクタ９９、ＵＳＢコネクタ９８及びＷ−ＬＡＮ基板９７を介して、入出力処理や通信処理等の各種の処理を行う。
【００１６】
図１〜図９に示すように、本体ユニット１０は、ジョイントカバー３０を有している。ジョイントカバー３０は、本体ユニット１０の図示しない内部フレームに対して上方から組み付けられ、本体ユニット１０の上面を構成している。
【００１７】
より詳しくは、図４に示すように、ジョイントカバー３０は、支持面３５、第１連結部３１、第２連結部３２及び第３連結部３８を有している。第１連結部３１は、ジョイントカバー３０における支持面３５よりも左方に位置している。第２連結部３２は、ジョイントカバー３０における支持面３５よりも右方に位置している。第３連結部３８は、ジョイントカバー３０における支持面３５よりも後方に位置している。第３連結部３８は、左右方向に延びて、第１連結部３１の後端部と、第２連結部３２の後端部とに接続している。なお、第３連結部３８は、前後方向に所定の幅を有しており、第３連結部３８における前壁３８Ａの部分で、第１連結部３１の後端部と、第２連結部３２の後端部とに接続している。第３連結部３８において前壁３８Ａの後方に位置する後壁３８Ｂの部分は、外装カバー１１における後カバー１１Ｂの一部を構成している。
【００１８】
支持面３５は、第１連結部３１の下端部と、第２連結部３２の下端部とに接続している。つまり、支持面３５は、第１連結部３１、及び第２連結部３２によって左右方向から挟まれた状態になっている。
【００１９】
支持面３５の後端縁３５Ｄは、第３連結部３８の前壁３８Ａに設けられた排出口３８Ｈよりも下方に位置している。支持面３５は、後端縁３５Ｄから前方に向かって上り傾斜した後、略水平に前向きに延びている。支持面３５は、画像形成部５から排出口３８Ｈを介して排出されるシートを支持する。なお、排出口３８Ｈは、画像形成部５が収容される空間と連通しており、画像形成部５によって画像が形成されたシートが支持面３５に排出される際に通過する開口である。
【００２０】
図１及び図２に示すように、ジョイントカバー３０における第１連結部３１の上端部及び第２連結部３２の上端部と、読取ユニット２０の底壁部２０Ｄとが連結されることによって、本体ユニット１０と読取ユニット２０とが連結されている。
【００２１】
ジョイントカバー３０の支持面３５、第１連結部３１における支持面３５の左端縁に隣接する面、第２連結部３２における支持面３５の右端縁に隣接する面、及び読取ユニット２０の底壁部２０Ｄによって、画像形成部５によって画像が形成されたシートが取り出される排出空間Ａ１が区画されている。なお、排出空間Ａ１は、画像読取装置１の前方で開放されている。ユーザが画像読取装置１の前方から排出空間Ａ１に手を差し入れて、支持面３５に支持されるシートを取り出すことができる。
【００２２】
図１に示すように、本体ユニット１０の筐体には、外装カバー１１を構成する左カバー１１Ｌが含まれている。左カバー１１Ｌは、本体ユニット１０内の図示しない内部フレーム、画像形成部５、ジョイントカバー３０の第１連結部３１、制御基板９０等を左方から覆っている。図５〜図９は、本体ユニット１０から左カバー１１Ｌを取り外した状態を示している。
【００２３】
図４〜図９に示すように、第１連結部３１の左を向く面（以下、左面３１Ｌとする）には、ハーネス保持部３５０、第１フラットケーブル保持部３１１、第２フラットケーブル保持部３１２、第３フラットケーブル保持部３１３及び第４フラットケーブル保持部３１４が形成されている。
【００２４】
ハーネス保持部３５０は、第１連結部３１の左面３１Ｌの後端部に形成された３枚の対向壁によって構成されている。それらの対向壁は、第１連結部３１の左面３１Ｌから左方に突出し、かつ上下方向に延び、前後方向において互いに対向している。ハーネス保持部３５０は、後述するワイヤハーネス５０の中間部５０Ｃを保持する。
【００２５】
第１フラットケーブル保持部３１１、第２フラットケーブル保持部３１２及び第４フラットケーブル保持部３１４は、前後、左右が壁で仕切られた空間である。また、第１フラットケーブル保持部３１１、第２フラットケーブル保持部３１２及び第４フラットケーブル保持部３１４のそれぞれの底部には、前後方向に長い矩形穴が上下方向に貫設されている。これらの矩形穴に後述する第１フラットケーブル７１、第２フラットケーブル７２及び第４フラットケーブル７４が挿通される。また、第３フラットケーブル保持部３１３は、上下、左右に壁が設けられ、前後方向では貫通している。この貫通した部分に、後述する第３フラットケーブル７３が挿通される。
【００２６】
図２、図５〜図７及び図９に示すように、制御基板９０は、ジョイントカバー３０の第１連結部３１に対して下方に位置している。図５に、制御基板９０と、その周辺に配置された第１フレーム９１、絶縁シート１００、下部絶縁シート１０９及び制御基板カバー１９０とを分解して示す。
【００２７】
第１フレーム９１は、鋼板等の金属板材が折り曲げ加工されてなる。第１フレーム９１は、制御基板９０よりも大きな略矩形状をなして、上下方向及び前後方向に延在している。第１フレーム９１は、画像形成部５に対して左方から組み付けられて、本体ユニット１０の内部フレームの一部を構成する。第１フレーム９１には、前端縁及び後端縁の一部がそれぞれ左向きに折り曲げられることにより形成された立壁又は凸片を有している。立壁又は凸片の先端縁に、３つの締結部９１Ｊが形成されている。
【００２８】
制御基板９０の右方を向く面を第１面９０Ａとする。制御基板９０の左方を向く面を第２面９０Ｂとする。制御基板９０の第２面９０Ｂには、複数のコネクタＣ５１、Ｃ５２、Ｃ５３、Ｃ７１、Ｃ７２、Ｃ７３、Ｃ７４、Ｃ７５が配置されている。また、制御基板９０の第２面９０Ｂには、符号を付さない複数のコネクタも配置されている。
【００２９】
第１フレーム９１が制御基板９０の第１面９０Ａに右方から対向する状態で、複数本の止めネジ９０Ｊが左方から制御基板９０に挿通され、さらに第１フレーム９１に螺入される。これにより、図２に示すように、第１フレーム９１は、制御基板９０を支持する。この際、絶縁シート１００は、制御基板９０の第１面９０Ａと第１フレーム９１との間に介在された状態で、制御基板９０とともに第１フレーム９１に共締めされる。第１フレーム９１、絶縁シート１００及び制御基板９０の重なる方向である左右方向は、本発明の「第１方向」の一例である。
【００３０】
図５及び図６に示すように、本体ユニット１０の後部には、第２フレーム９２が配置されている。第２フレーム９２は、本体ユニット１０の外装カバー１１における後カバー１１Ｂに後方から覆われており、上下方向及び左右方向に延在している。第２フレーム９２の左端縁には、平板部９２Ａが左方に延びるように形成されている。平板部９２Ａは、第１フレーム９１及び制御基板９０の上端部かつ後端部である角部に対して後方から隣接する位置に配置されている。具体的には、平板部９２Ａの前面に対して、第１フレーム９１及び制御基板９０は垂直となる位置にそれぞれ配置されている。
【００３１】
図５に示すように、絶縁シート１００は、絶縁性のあるシートが切り出されてなる。本実施例では、絶縁シート１００は、ＰＥＴ樹脂等からなるシートである。絶縁シート１００は、本発明の「絶縁部材」の一例である。絶縁シート１００は、制御基板９０よりも若干大きな略矩形状をなして、上下方向及び前後方向に延在している。絶縁シート１００の前端縁及び後端縁は、左向きに折り曲げられている。
【００３２】
図６〜図９に示すように、絶縁シート１００には、収容部１０１が形成されている。収容部１０１は、絶縁シート１００の上端部かつ後端部である角の部分に設けられている。図１０に展開された状態の収容部１０１を示す。絶縁シート１００において上下方向に延びる端縁１００Ｅから後方に突出する小片に切り欠きやスリットが形成されている。図１１に示すように、その小片の複数の箇所が屈曲されることにより収容部１０１が形成される。より詳しくは、収容部１０１は、延設部１０２、屈曲部１１０及び係合部１１５を有している。
【００３３】
図６〜図９及び図１１に示すように、延設部１０２は、絶縁シート１００の端縁１００Ｅから左方に略直角に屈曲される部分である。図７に示すように、延設部１０２は、第２フレーム９２の平板部９２Ａに沿いながら左方に制御基板９０に向かって延びている。なお、延設部１０２の左端部１０２Ｅは、制御基板９０の第２面９０Ｂを超える位置に達している。
【００３４】
図６〜図９及び図１１に示すように、屈曲部１１０と係合部１１５とは、延設部１０２の左端部１０２Ｅに接続している。屈曲部１１０は、延設部１０２の左端部１０２Ｅから前方に略直角に屈曲した後、左方に略直角に屈曲し、さらに、後方に略直角に屈曲している。すなわち、屈曲部１１０は、延設部１０２の左端部１０２Ｅから前後方向に延びる部分と、左右方向に延びる部分と、さらに前後方向に延びる部分との３つの部分を有し、コの字形状を形成している。屈曲部１１０の先端部１１１には、挿通穴１１１Ｈが貫設されている。
【００３５】
図１０に示すように、係合部１１５は、展開した状態の屈曲部１１０の略中央に略Ｃ字状に形成された切り込みによって、屈曲部１１０から分岐する部分である。図１１に示すように、係合部１１５は、延設部１０２の左端部１０２Ｅにおける上下方向の中間部分から屈曲部１１０と分岐して左方に延びている。
【００３６】
係合部１１５には、突出部１１７と規制部１１９とが形成されている。突出部１１７は、係合部１１５の先端部において上下方向の幅が狭められて形成された部分である。規制部１１９は、突出部１１７の略中央に略Ｃ字状に形成された切り込みによって、突出部１１７から分岐する部分である。
【００３７】
図１１等に示すように、屈曲部１１０が上記したように曲げられた後、突出部１１７が挿通穴１１１Ｈに挿通される。そして、規制部１１９が突出部１１７とともに挿通穴１１１Ｈに挿通された後に折り曲げられることにより、係合部１１５が屈曲部１１０の先端部１１１に係合する。その結果、屈曲部１１０と係合部１１５とは、上下方向から見て、断面略矩形状の空間を区画する。
【００３８】
図６〜図８に示すように、屈曲部１１０と係合部１１５とに囲まれた空間内には、後述するワイヤハーネス５０の一部であるケーブル５１〜５３が上下方向に挿通される。ここで、本実施例では、ケーブルや被覆電線は、本発明の「配線」の一例であり、ワイヤハーネスは、それらの配線等が束ねられた集合体である。
【００３９】
図９に示すように、収容部１０１を構成する屈曲部１１０は、左右方向である矢視Ｚ方向から見て、第２面９０Ｂと重なる位置に配置されている。
【００４０】
下部絶縁シート１０９も、絶縁シート１００と同様に、ＰＥＴ樹脂等からなるシートである。絶縁シート１００の前端部かつ下端部の角部に切り欠かれた２つのスリットに、下部絶縁シート１０９の端縁から突出する２つの凸片が嵌入されることによって、下部絶縁シート１０９が絶縁シート１００に取り付けられている。下部絶縁シート１０９は、絶縁シート１００よりも小さな略矩形状をなして、上下方向及び前後方向に延在している。
【００４１】
制御基板カバー１９０は、制御基板９０よりも若干大きな略矩形状をなして、上下方向及び前後方向に延在している。制御基板カバー１９０は、制御基板９０の第２面９０Ｂに左方から対向しており、３本の止めネジ１９０Ｊが第１フレーム９１の３つの締結部９１Ｊに螺入されることによって、図６に示すように、第１フレーム９１に組み付けられる。この状態で、制御基板カバー１９０は、制御基板９０の第２面９０Ｂに配置される各コネクタＣ５１〜Ｃ５３、Ｃ７１〜Ｃ７５や、それらに接続される配線等と干渉しないように、制御基板９０から十分に離間している。
【００４２】
図９に示すように、第１フラットケーブル保持部３１１、第２フラットケーブル保持部３１２及び第４フラットケーブル保持部３１４は、制御基板９０における前後方向に延びる上端部９０Ｅに対して真上に位置している。第１フラットケーブル保持部３１１は、第２フラットケーブル保持部３１２の下方に位置している。第４フラットケーブル保持部３１４は、第１フラットケーブル保持部３１１の前方に位置している。第３フラットケーブル保持部３１３は、第４フラットケーブル保持部３１４の前方に位置している。ハーネス保持部３５０は、第１フラットケーブル保持部３１１及び第２フラットケーブル保持部３１２の後方に位置している。ハーネス保持部３５０は、制御基板９０の上端部９０Ｅに対して、上方かつ後方に位置している。
【００４３】
図１に示すように、本体ユニット１０における排出空間Ａ１内の上方かつ左方には、ＵＳＢコネクタ９８が配設されている。ＵＳＢコネクタ９８は、ジョイントカバー３０の第１連結部３１に組み付けられ、ＵＳＢコネクタ９８の接続部が、排出空間Ａ１の前方に向かって露出する位置に設けられている。
【００４４】
図３に示すように、ＵＳＢコネクタ９８には、ＵＳＢケーブル７５の一端部７５Ａが接続されている。図９に示すように、ＵＳＢケーブル７５は、可撓性を有する１本のチューブ内に複数本の被覆電線が束ねられた状態で収容されてなる。ＵＳＢケーブル７５の中間部７５Ｃは、ジョイントカバー３０の第１連結部３１の左面３１Ｌに沿って後向きに配線された後、下向きに延びている。図３及び図９に示すように、ＵＳＢケーブル７５の他端部７５Ｂは、制御基板９０の第２面９０Ｂに配置されたコネクタＣ７５に接続されている。
【００４５】
なお、本実施形態においては、ＵＳＢケーブル７５における一端部７５Ａと他端部７５Ｂとの間の部分を中間部７５Ｃとする。中間部７５Ｃは、ＵＳＢケーブル７５のうち、一端部７５Ａと他端部７５Ｂとに挟まれた全体であっても、一部であってもよい。後述するその他のケーブルについても同様である。
【００４６】
図２に示すように、読取ユニット２０は、プラテンガラス２９を有している。プラテンガラス２９は、読取ユニット２０の上面に配設されている。プラテンガラス２９の上面は、シートや書籍等である原稿を支持する原稿支持面２９Ａである。
【００４７】
図２及び図３に示すように、読取ユニット２０内には、第１読取センサ３Ａ、駆動部３Ｍ及び図示しない走査機構が収容されている。第１読取センサ３Ａは、プラテンガラス２９に下から対向している。第１読取センサ３Ａとしては、密着型イメージセンサ（ＣＩＳ：Contact Image Sensor）やＣＣＤ（Charge Coupled Device）等の周知の画像読取センサが使用される。
【００４８】
駆動部３Ｍとしては、ステッピングモータ等が使用される。図示しない走査機構は、第１読取センサ３Ａを保持している。原稿支持面２９Ａに支持された原稿の画像を読み取る場合、図示しない走査機構は、駆動部３Ｍに駆動されて、図２に示すように、第１読取センサ３Ａを左右方向に往復移動させる。また、搬送部４に搬送されるシートＳＨの画像を読み取る場合、図示しない走査機構は、駆動部３Ｍに駆動されて、第１読取センサ３Ａを予め設定された静止読取位置に停止させる。
【００４９】
図１に示すように、上部ユニット４０は、読取ユニット２０の後端部に配設された図示しないヒンジによって、左右方向に延びる揺動軸心Ｘ４０周りで揺動可能に読取ユニット２０に支持されている。上部ユニット４０は、図１及び図２に示すように閉じた状態では、原稿支持面２９Ａを上方から覆っている。上部ユニット４０は、その前端部が上方かつ後方に変位するように揺動軸心Ｘ４０周りで揺動することにより、図１に二点鎖線で示すように開いた状態となって、原稿支持面２９Ａを露出させる。これにより、ユーザは、読取対象の原稿を原稿支持面２９Ａに支持させることができる。
【００５０】
なお、本実施例においては、原稿支持面２９Ａを使用して画像が読み取られる対象を原稿と記載し、搬送部４により搬送しながら画像が読み取られる対象をシートＳＨと記載する。原稿とシートＳＨとは、実質的に同じものであってもよい。
【００５１】
図２及び図３に示すように、上部ユニット４０には、搬送部４及び第２読取センサ３Ｂが収容されている。搬送部４は、モータ４Ｍ及び図示しないシート位置センサ等を有している。図２に示すように、搬送部４は、シートＳＨを所定の搬送経路Ｐ１に沿って１枚ずつ搬送する。
【００５２】
第２読取センサ３Ｂは、第１読取センサ３Ａと同種のものである。図２に示すように、第２読取センサ３Ｂは、静止読取位置に停止する第１読取センサ３Ａに対向する位置で、搬送経路Ｐ１を搬送されるシートＳＨの画像を読取可能に配設されている。なお、第２読取センサ３Ｂの位置は、図２に示される位置に限定されない。
【００５３】
図２及び図３に示すように、第１読取センサ３Ａ、第２読取センサ３Ｂ、駆動部３Ｍ及び図示しない走査機構を有して読取部３が構成されている。
【００５４】
原稿支持面２９Ａに支持された原稿の画像を読み取る場合、制御基板９０が第１読取センサ３Ａ及び駆動部３Ｍを制御し、図２に示すように、第１読取センサ３Ａをプラテンガラス２９の下で左右方向に往復移動させる。これにより、第１読取センサ３Ａは、原稿の画像の一部を前後方向（主走査方向）に長いライン状に読み取りながら、左右方向（副走査方向）に移動して、原稿の画像の全体を読み取る。
【００５５】
搬送部４に搬送されるシートＳＨの画像を読み取る場合、制御基板９０が駆動部３Ｍを制御し、第１読取センサ３Ａを予め設定された静止読取位置に停止させる。そして、制御基板９０が第１読取センサ３Ａ、第２読取センサ３Ｂ及び搬送部４のモータ４Ｍを制御し、搬送部４によって搬送されて静止読取位置に停止した第１読取センサ３Ａの上方を通過するシートＳＨの一面の画像を第１読取センサ３Ａによって読み取るとともに、シートＳＨの他面の画像を第２読取センサ３Ｂによって読み取る。シートＳＨの片面の画像を読み取る場合、第１読取センサ３Ａのみが作動する。
【００５６】
図３に示すように、第１読取センサ３Ａには、第１フラットケーブル７１の一端部７１Ａが接続されている。図９に示すように、第１フラットケーブル７１は、複数本の被覆電線が帯状に接合されてなる。第１フラットケーブル７１の中間部７１Ｃは、読取ユニット２０から下向きに配線されている。第１フラットケーブル７１の中間部７１Ｃは、ジョイントカバー３０の第１連結部３１の左面３１Ｌに沿ってクランク状に折り曲げられている。第１フラットケーブル７１の中間部７１Ｃは、クランク状の折り曲げ部分よりも下部分がその上部分に対して後方に位置し、第１フラットケーブル保持部３１１に挿通され、さらに下向きに延びている。
【００５７】
図３及び図９に示すように、第１フラットケーブル７１の他端部７１Ｂは、制御基板９０の第２面９０Ｂに配置されたコネクタＣ７１に接続されている。図９に示すように、第１フラットケーブル７１の他端部７１Ｂは、ＵＳＢケーブル７５の他端部７５Ｂよりも後方かつ下方で制御基板９０に接続されている。
【００５８】
図３に示すように、第２読取センサ３Ｂには、第２フラットケーブル７２の一端部７２Ａが接続されている。図９に示すように、第２フラットケーブル７２は、複数本の被覆電線が帯状に接合されてなる。第２フラットケーブル７２の中間部７２Ｃは、図３に示すように、上部ユニット４０から読取ユニット２０内に導入され、さらに、図９に示すように、読取ユニット２０から下向きに配線されている。第２フラットケーブル７２の中間部７２Ｃは、ジョイントカバー３０の第１連結部３１の左面３１Ｌに沿って下向きに延び、第２フラットケーブル保持部３１２に挿通され、さらに下向きに延びている。第２フラットケーブル保持部３１２には、ノイズ低減用のフェライトコア３１２Ｎが配置されている。左右方向から見て、第２フラットケーブル７２の中間部７２Ｃは、第１フラットケーブル７１の中間部７１Ｃと重なる部分を含んでいる。第１フラットケーブル保持部３１１は、第２フラットケーブル保持部３１２に対して左にずれて配置されている。すなわち、第１フラットケーブル保持部３１１は、第２フラットケーブル保持部３１２に対して左方向に突出する位置に配置されている。これにより、第１フラットケーブル７１の中間部７１Ｃと第２フラットケーブル７２の中間部７２Ｃとが左右方向において離間する状態が維持され、双方のノイズによる悪影響が抑制される。
【００５９】
図３及び図９に示すように、第２フラットケーブル７２の他端部７２Ｂは、制御基板９０の第２面９０Ｂに配置されたコネクタＣ７２に接続されている。図９に示すように、第２フラットケーブル７２の他端部７２Ｂは、ＵＳＢケーブル７５の他端部７５Ｂよりも後方で制御基板９０に接続されている。また、第２フラットケーブル７２の他端部７２Ｂは、第１フラットケーブル７１の他端部７１Ｂよりも上方で制御基板９０に接続されている。
【００６０】
図２及び図３に示すように、ワイヤハーネス５０は、中間部５０Ｃよりも上方において、第１端部５０Ａ１と第２端部５０Ａ２とに分かれている。ワイヤハーネス５０の第１端部５０Ａ１は、駆動部３Ｍに接続されている。ワイヤハーネス５０の第２端部５０Ａ２は、モータ４Ｍ及び図示しないシート位置センサに接続されている。
【００６１】
図８に示すように、ワイヤハーネス５０は、ケーブル５１、５２、５３、アース線５４、５５等である複数本の被覆電線が束ねられてなる。ケーブル５１、５２、５３は、１本の電線であってもよいし、複数本の被覆電線の集合体であってもよい。
【００６２】
ワイヤハーネス５０の中間部５０Ｃは、読取ユニット２０から下向きに配線されている。ワイヤハーネス５０の中間部５０Ｃは、ジョイントカバー３０の第１連結部３１に設けられたハーネス保持部３５０に保持される。ワイヤハーネス５０の中間部５０Ｃは、ハーネス保持部３５０に沿って下向きから上向きに折り曲げられた後、上向きから下向きに折り曲げられ、さらに下向きに延びている。
【００６３】
ワイヤハーネス５０のうちのケーブル５１、５２、５３は、ハーネス保持部３５０よりも下方に延びた後、屈曲部１１０と係合部１１５とに囲まれた空間内である収容部１０１に挿通され、さらに下方に延びている。つまり、収容部１０１は、絶縁シート１００から制御基板９０に向けて左方に延設されて第２面９０Ｂを超える位置で、ワイヤハーネス５０のうちのケーブル５１〜５３を収容している。
【００６４】
図７に示すように、ケーブル５１は、制御基板９０の第２面９０Ｂに配置されたコネクタＣ５１に接続されている。ケーブル５２は、制御基板９０の第２面９０Ｂに配置されたコネクタＣ５２に接続されている。図８に示すように、ケーブル５３は、コネクタＣ５３に接続されている。図５に示すように、コネクタＣ５３は、制御基板９０の第２面９０ＢにおいてコネクタＣ５１、Ｃ５２よりも下方に配置されている。
【００６５】
図７に示すように、ワイヤハーネス５０のうちのアース線５４、５５は、ケーブル５１、５２、５３及び収容部１０１に対して前方に離間した位置を通り、制御基板カバー１９０の左面に沿って下方に向かって配線される。そして、アース線５４、５５は互いに異なる位置で止めネジ１９０Ｊによって、制御基板カバー１９０に固定されている。
【００６６】
図１に示すように、読取ユニット２０の前端部は、上部ユニット４０よりも前方に突出しており、その突出した部分の上面に操作パネル２８が設けられている。操作パネル２８は、画像読取装置１の稼働状態や設定等を表示したり、ユーザからの入力を受け付けるユーザインターフェースである。
【００６７】
より詳しくは、図１及び図３に示すように、操作パネル２８は、ＬＣＤ等である表示部２８Ａと、表示部２８Ａに重ねて配置されるタッチパネル２８Ｂとを有している。図３に示すように、操作パネル２８内には、タッチパネル２８Ｂ及び図示しない静電キーに接続される静電キー基板２８Ｃと、表示部２８Ａ及び静電キー基板２８Ｃに接続されるパネル制御基板２８Ｄとが保持されている。
【００６８】
パネル制御基板２８Ｄには、第３フラットケーブル７３の一端部７３Ａが接続されている。図９に示すように、第３フラットケーブル７３は、複数本の被覆電線が帯状に接合されてなる。第３フラットケーブル７３の中間部７３Ｃは、ジョイントカバー３０の第１連結部３１の左面３１Ｌに沿って後向きに配線されて、第３フラットケーブル保持部３１３に挿通された後、折り曲げられて下向きに延びている。図３及び図９に示すように、第３フラットケーブル７３の他端部７３Ｂは、制御基板９０の第２面９０Ｂに配置されたコネクタＣ７３に接続されている。図９に示すように、第３フラットケーブル７３の他端部７３Ｂは、ＵＳＢケーブル７５の他端部７５Ｂよりも前方で制御基板９０に接続されている。
【００６９】
図４に示すように、ジョイントカバー３０の第３連結部３８の後壁３８Ｂには、取付穴３９Ｈが貫設されている。取付穴３９Ｈには、図３に示すモデムコネクタ９９が取り付けられている。
【００７０】
図３に示すように、モデムコネクタ９９には、第４フラットケーブル７４の一端部７４Ａが接続されている。図９に示すように、第４フラットケーブル７４は、複数本の被覆電線が帯状に接合されてなる。図示は省略するが、第４フラットケーブル７４の中間部７４Ｃは、ジョイントカバー３０における第３連結部３８の後壁３８Ｂの前方を左に向かって配線されて、第１連結部３１の左面３１Ｌに到る。そして、図９に示すように、第４フラットケーブル７４の中間部７４Ｃは、第１連結部３１の左面３１Ｌに沿ってクランク状に折り曲げられている。第４フラットケーブル７４の中間部７４Ｃは、クランク状の折り曲げ部分よりも下部分がその上部分に対して左に位置し、第４フラットケーブル保持部３１４に挿通され、さらに下向きに延びている。第４フラットケーブル保持部３１４には、ノイズ低減用のフェライトコア３１４Ｎが配置されている。左右方向から見て、第４フラットケーブル７４の中間部７４Ｃは、第１フラットケーブル７１の中間部７１Ｃと重なる部分を含んでいる。
【００７１】
第１連結部３１の左面３１Ｌにおける第４フラットケーブル保持部３１４よりも上の領域は、第４フラットケーブル保持部３１４に対して右向きに凹んでいる。すなわち、第４フラットケーブル保持部３１４は、第１連結部３１の左面３１Ｌにおける第４フラットケーブル保持部３１４よりも上の領域に対して左方向に突出する位置に配置されている。そして、第４フラットケーブル７４の中間部７４Ｃは、第４フラットケーブル保持部３１４に保持される部分より上に位置する部分が、第１連結部３１の左面３１Ｌに沿って配線される。一方、第１フラットケーブル７１の中間部７１Ｃは、第１連結部３１の左面３１Ｌから所定距離だけ離間した位置で上下方向に配線される。これにより、第１フラットケーブル７１の中間部７１Ｃと第４フラットケーブル７４の中間部７４Ｃとが左右方向において離間する状態が維持され、双方のノイズによる悪影響が抑制される。
【００７２】
図３及び図９に示すように、第４フラットケーブル７４の他端部７４Ｂは、制御基板９０の第２面９０Ｂに配置されたコネクタＣ７４に接続されている。図９に示すように、第４フラットケーブル７４の他端部７４Ｂは、ＵＳＢケーブル７５の他端部７５Ｂよりも前方、かつ第３フラットケーブル７３の他端部７３Ｂよりも後方で制御基板９０に接続されている。
【００７３】
図３及び図９に示すように、制御基板９０には、Ｗ−ＬＡＮ基板９７が接続されている。Ｗ−ＬＡＮ基板９７は、無線ＬＡＮ等によって外部の情報処理端末との間で情報の伝達を行うためのものである。図９に示すように、Ｗ−ＬＡＮ基板９７は、第４フラットケーブル７４の他端部７４Ｂよりも前方、かつ第３フラットケーブル７３の他端部７３Ｂよりも後方となる位置で制御基板９０に接続されている。また、Ｗ−ＬＡＮ基板９７の一部は、制御基板９０の上端部９０Ｅよりも上方に突出している。第１〜４フラットケーブル７１〜７４及びＵＳＢケーブル７５は、Ｗ−ＬＡＮ基板９７の送受信性能を低下させないように、Ｗ−ＬＡＮ基板９７から離間してそれぞれ配置されている。
【００７４】
上述した第１、２読取センサ３Ａ、３Ｂ、駆動部３Ｍ、モータ４Ｍ、パネル制御基板２８Ｄ、ＵＳＢコネクタ９８、モデムコネクタ９９等の電気部品は、本発明の「電子部品」の一例である。第１、２読取センサ３Ａ、３Ｂは、本発明の「画像読取部」の一例である。ワイヤハーネス５０、第１〜４フラットケーブル７１〜７４及びＵＳＢケーブル７５は、本発明の「配線」の一例である。ケーブル５１〜５３、より詳しくは、ケーブル５１〜５３を構成する各被覆電線は本発明の「特定配線」の一例である。上下方向は、本発明の「特定配線の挿通方向」の一例である。コネクタＣ５３は、本発明の「特定コネクタ」の一例である。前後方向は、「第１方向及び特定配線の挿通方向の双方に略直交する第２方向」の一例である。
【００７５】
制御基板９０の上端部９０Ｅには、第１〜４フラットケーブル７１〜７４の他端部７１Ｂ〜７４Ｂに接続されるコネクタＣ７１〜Ｃ７４が前後方向に並んで配置されている。収容部１０１は、前後方向である矢視Ｙ方向（図９参照）から見て、第１〜４フラットケーブル７１〜７４の他端部７１Ｂ〜７４Ｂと重なる位置に配置されている。図８に示すケーブル５１〜５３も、収容部１０１に収容されることによって、第１〜４フラットケーブル７１〜７４の他端部７１Ｂ〜７４Ｂと前後方向において並んで配置される。
【００７６】
＜作用効果＞
実施例１の画像読取装置１では、ワイヤハーネス５０のうちのケーブル５１、５２、５３は、絶縁シート１００に形成された収容部１０１に第２面９０Ｂを超える位置で収容されることにより位置が定まる。これにより、ケーブル５１、５２、５３は、第１〜４フラットケーブル７１〜７４やＵＳＢケーブル７５等の残りの配線に接近し難くなる。このため、制御基板９０のサイズが小さくされることによって各コネクタＣ５１〜Ｃ５３、Ｃ７１〜Ｃ７４が制御基板９０上で近接配置されても、収容部１０１に収容されるケーブル５１、５２、５３と、第１〜４フラットケーブル７１〜７４やＵＳＢケーブル７５等の残りの配線とが互いにノイズの影響を受けることを抑制できる。より詳しくは、第１、２読取センサ３Ａ、３Ｂに接続される第１、２フラットケーブル７１、７２がノイズの影響を受け難いので、第１、２読取センサ３Ａ、３Ｂによって読み取られる画像データの乱れ等を抑制できる。また、パネル制御基板２８Ｄに接続される第３フラットケーブル７３がノイズの影響を受け難いので、パネル制御基板２８Ｄを経由して送受信される表示データや入力データの乱れ等を抑制できる。さらに、モデムコネクタ９９に接続される第４フラットケーブル７４がノイズの影響を受け難いので、モデムコネクタ９９を経由して送受信される通信データの乱れ等を抑制できる。また、ＵＳＢケーブル７５がノイズの影響を受け難いので、ＵＳＢコネクタ９８を経由して送受信される通信データの乱れ等を抑制できる。
【００７７】
したがって、実施例１の画像読取装置１では、第１、２読取センサ３Ａ、３Ｂ等である電子部品の動作不良や性能低下を抑制しつつ、制御基板９０のサイズを小さくすることができる。また、この画像読取装置１では、絶縁シート１００に簡素な形状の延設部１０２及び屈曲部１１０を設け、それらを屈曲させて収容部１０１を容易に形成することができる。その結果、この画像読取装置１では、部品点数の削減及び製造コストの低廉化を実現できる。
【００７８】
また、この画像読取装置１では、図９に示すように、収容部１０１は、左右方向である矢視Ｚ方向から見て、第２面９０Ｂと重なる位置に形成されている。これにより、収容部１０１が制御基板９０に近い位置に形成され、収容部１０１における制御基板９０の周縁からはみ出す部分が小さくなり、又は殆ど無くなる。その結果、この画像読取装置１では、収容部１０１の占有スペースのために装置が大型化することを抑制できる。
【００７９】
さらに、この画像読取装置１では、図７に示すように、収容部１０１は、上下方向から見て、延設部１０２から延びる板状部分（係合部１１５の一部）と、屈曲部１１０を折り曲げることで形成される部分とで、断面略矩形状の空間を区画している。これにより、この画像読取装置１では、略矩形状の収容部１０１を第２フレーム９２の平板部９２Ａ等である周辺部材に沿わせて配置し易い。
【００８０】
また、この画像読取装置１では、先に、ケーブル５１、５２、５３を屈曲部１１０を折り曲げながら囲む。次に、図８に示すように、屈曲部１１０の先端部１１１に貫設される挿通穴１１１Ｈに突出部１１７及び規制部１１９を挿通させた後、規制部１１９を折り曲げることにより、ケーブル５１、５２、５３を収容部１０１に収容する。また、折り曲げられた規制部１１９は、突出部１１７が挿通穴１１１Ｈから抜けることを規制する。これにより、接着剤等を用いることなく、屈曲部１１０の屈曲形状を維持できる。よって、ケーブル５１、５２、５３を収容部１０１に収容する作業を簡単に行うことができる。
【００８１】
さらに、この画像読取装置１では、図７に示すように、延設部１０２は、第２フレーム９２の平板部９２Ａに沿いながら延びている。これにより、第２フレーム９２の平板部９２Ａが延設部１０２を補強する役割を果たすので、収容部１０１に収容されたケーブル５１、５２、５３の位置が一層安定する。
【００８２】
また、この画像読取装置１では、図９に示すように、制御基板９０の上端部９０Ｅには、第１〜４フラットケーブル７１〜７４の他端部７１Ｂ〜７４Ｂに接続されるコネクタＣ７１〜Ｃ７４が前後方向に並んで配置されている。収容部１０１は、前後方向である矢視Ｙ方向（図９参照）から見て、第１〜４フラットケーブル７１〜７４の他端部７１Ｂ〜７４Ｂと重なる位置に配置されている。これにより、収容部１０１に収容されたケーブル５１、５２、５３と、第１〜４フラットケーブル７１〜７４の他端部７１Ｂ〜７４Ｂとが近接配置されても互いに接触し難い。その結果、この画像読取装置１では、ケーブル５１、５２、５３と、第１〜４フラットケーブル７１〜７４とが互いにノイズの影響を受けることを抑制できる。
【００８３】
（実施例２）
図１２に示すように、実施例２の画像読取装置では、収容部１０１について、実施例１に係る屈曲部１１０及び係合部１１５の代わりに、屈曲部１２０及び係合部１２５を採用している。実施例２のその他の構成は、実施例１と同様である。このため、実施例１と同一の構成については同一の符号を付して説明を省略又は簡略する。
【００８４】
屈曲部１２０は、延設部１０２の左端部１０２Ｅから前方に屈曲した後、左方に屈曲し、さらに、後方に屈曲している。屈曲部１２０の先端部１２１は、さらに左端部１０２Ｅに戻る向きに屈曲している。屈曲部１２０における左端部１０２Ｅ近傍には、挿通穴１２０Ｈが貫設されている。
【００８５】
屈曲部１２０は、先端部１２１から突出する小片である係合部１２５を備える。屈曲部１２０が上記のように複数箇所で屈曲した後、係合部１２５が挿通穴１２０Ｈに嵌入されることによって、屈曲部１２０の屈曲形状が維持される。
【００８６】
（実施例３）
図１３に示すように、実施例３の画像読取装置では、収容部１０１について、実施例１に係る屈曲部１１０及び係合部１１５の代わりに、屈曲部１３０及び係合部１３５を採用している。実施例３のその他の構成は、実施例１と同様である。このため、実施例１と同一の構成については同一の符号を付して説明を省略又は簡略する。
【００８７】
屈曲部１３０と係合部１３５とは、延設部１０２の左端部１０２Ｅにそれぞれ接続している。屈曲部１３０は、延設部１０２の左端部１０２Ｅから前方に屈曲した後、左方に屈曲し、さらに、図１３に示す状態から後方に屈曲される。屈曲部１３０の先端部１３１には、挿通穴１３１Ｈが貫設されている。挿通穴１３１Ｈには、上下方向の幅が狭い部分と広い部分とが形成されている。
【００８８】
係合部１３５は、延設部１０２の左端部１０２Ｅにおける中間部分から屈曲部１３０と分岐して左方に延びている。
【００８９】
係合部１３５には、突出部１３７と上下一対の規制部１３９、１３９とが形成されている。突出部１３７は、係合部１３５の先端部において上下方向の幅が狭められて形成された部分である。突出部１３７の中央には、左右方向に延びるスリット１３７Ｓが切り欠かれている。上に位置する規制部１３９は、突出部１３７の上端縁から上向きに突出している。下に位置する規制部１３９は、突出部１３７の下端縁から下向きに突出している。スリット１３７Ｓによって、突出部１３７は、上に位置する規制部１３９と下に位置する規制部１３９とが接近する方向に撓むことが可能となっている。
【００９０】
図示は省略するが、突出部１３７が挿通穴１３１Ｈに挿通される時、一対の規制部１３９、１３９の部分を撓ませながら、突出部１３７は挿通穴１３１Ｈに挿通される。その後、突出部１３７の撓みが解除されることで、一対の規制部１３９、１３９が挿通穴１３１Ｈの周縁に係合する。これにより、屈曲部１３０の屈曲形状が維持される。
【００９１】
以上において、本発明を実施例１〜３に即して説明したが、本発明は上記実施例１〜３に制限されるものではなく、その趣旨を逸脱しない範囲で適宜変更して適用できることはいうまでもない。例えば、収容部１０１に収容される配線は、上記実施例におけるケーブル５１〜５３に限定されるものではなく、他の配線を収容してもよい。また、収容部１０１を設ける位置、あるいは数は、複数のケーブルやハーネスの配線される位置や本数によって変更可能である。
【産業上の利用可能性】
【００９２】
本発明は例えば、画像読取装置、画像形成装置、複合機等である電子装置に利用可能である。
【符号の説明】
【００９３】
１…電子装置（画像読取装置）
３Ａ、２Ｂ…画像読取部（３Ａ…第１読取センサ、３Ｂ…第２読取センサ）
９０…制御基板、９０Ａ…制御基板の第１面、９０Ｂ…制御基板の第２面
９１…第１フレーム、９２…第２フレーム、１００…絶縁部材（絶縁シート）
１０１…収容部、１０２…延設部、１１０、１２０、１３０…屈曲部、１１１、１２１、１３１…屈曲部の先端部
１１５、１２５、１３５…係合部、１１１Ｈ、１２０Ｈ、１３１Ｈ…挿通穴、１１７、１３７…突出部、１１９、１３９…規制部
Ｃ５１、Ｃ５２、Ｃ５３、Ｃ７１、Ｃ７２、Ｃ７３、Ｃ７４、Ｃ７５…コネクタ
５１、５２、５３…ケーブル（特定配線）
１００Ｅ…絶縁部材の端縁（絶縁シートの上方かつ後方の部分に位置する端縁）
７１、７２、７３、７４…フラットケーブル
９０Ｅ…制御基板における第２方向に沿って延びる端部（上端部）
Ｃ５３…特定コネクタ
【図１】
0006620447.tif 000002
【図２】
0006620447.tif 000003
【図３】
0006620447.tif 000004
【図４】
0006620447.tif 000005
【図５】
0006620447.tif 000006
【図６】
0006620447.tif 000007
【図７】
0006620447.tif 000008
【図８】
0006620447.tif 000009
【図９】
0006620447.tif 000010
【図１０】
0006620447.tif 000011
【図１１】
0006620447.tif 000012
【図１２】
0006620447.tif 000013
【図１３】
0006620447.tif 000014